(57)【要約】【課題】アール形状の支柱や直線形状の支柱に吸音パネルを安定させて固定可能な防音壁を提供する。【解決手段】並設された支柱間にパネル形状の吸音パネルを架け渡して固定させ、前記吸音パネルは、前側に多数の開孔を有する前面板を配置し、後側に背面板を配置し、この背面板と前記前面板との間に吸音材を内装させており、前記前面板を吸音パネルの上下の端部から中央に至るほど吸音パネルの内側方向へ向かうように傾斜させて設けると共に、前記前面板の長手方向における両端部を前記各支柱にそれぞれ当接させて前記吸音パネルを固定させる。支柱の形状が直線形状とアール形状のいずれであっても、前記吸音パネルの前面板の上端部と下端部とがそれぞれ支柱に当接されて、がたつきなく安定的に固定される。【選択図】        図３
2012052312.tif 000002
【特許請求の範囲】
【請求項１】
並設された支柱間にパネル形状の吸音パネルが架け渡されて固定された防音壁であって、
前記吸音パネルは、前側に多数の開孔を有する前面板が配置され、後側に背面板が配置され、該背面板と前記前面板との間に吸音材が内装されており、
前記前面板は吸音パネルの上下の端部から中央に至るほど吸音パネルの内側方向へ向かうように傾斜して設けられると共に、
前記前面板の長手方向における両端部が前記各支柱にそれぞれ当接されて前記吸音パネルが固定されていることを特徴とする防音壁。
【請求項２】
前記各支柱にはそれぞれ側方に上下方向に沿う支柱溝部が開口部を相対向させて形成されており、
前記吸音パネルは前記各支柱溝部にその長手方向における両端部を挿入させて前記各支柱間に取り付けられ、
前記背面板と、該背面板と相対する前記支柱溝部内面との間には固定バネが取り付けられて、前記吸音パネルが前方向に付勢され前記前面板が反対側の支柱溝部内面に圧着されて固定されると共に、
前記吸音パネルの前後の厚みが上下方向の両端部が最も大きく形成され、且つ前記固定バネが少なくとも前記吸音パネルの上下いずれかの端部背面に取り付けられていることを特徴とする請求項１に記載の防音壁。
【請求項３】
前記吸音パネルの背面板には後方へ突出する取付金具が取り付けられると共に、
該取付金具を介して前記吸音パネルの後方に太陽電池パネルが固定されていることを特徴とする請求項１又は２に記載の防音壁。
【発明の詳細な説明】
【技術分野】
【０００１】
本発明は、主として、車両等の走行に伴う騒音を吸音するために、高速道路や鉄道の沿線等に沿って設置される防音壁に関するものである。
【背景技術】
【０００２】
車両などの走行に伴う騒音を遮音、吸音するために、多数の開孔を有する前面板と背面板とにより形成された中空内に吸音材が内装させた吸音パネルを用いた防音壁が一般的に用いられており、このような防音壁については種々の発明が開示されている。
【０００３】
例えば特許文献１には、所定間隔で支柱を立設し、その支柱間にパネルを装着して形成される防音壁において、前記支柱にはほぼ平行な二つフランジをウェブで連結したＨ鋼を用い、該ウェブに沿って移動自在に係止され、ウェブと平行な向きに押圧可能なパネル取付具を備え、該パネル取付具と一方のフランジ間にパネルを配置し、パネル取付具を該フランジ側へ押圧することにより、パネル端部をパネル取付具とフランジとの間に圧接して固定することを特徴とする、防音壁、が開示されている。
【先行技術文献】
【特許文献】
【０００４】
【特許文献１】特開平７−３１０３０６号公報
【発明の概要】
【発明が解決しようとする課題】
【０００５】
特許文献１においてはＨ鋼を用いた支柱間に装着させたパネルをパネル取付具によって安定的に固定させるようになされている。また特許文献１の図１に示されるように、Ｈ鋼の支柱を用いた防音壁においては、支柱の上部がアール形状に曲げ加工されて、防音壁前面側の上部が車道に覆い被さるように設けることで、走行する車両からの騒音を効率よく吸音させることができる。
しかしながら、特許文献１の如き防音壁は、特にアール形状に形成された支柱部分にパネルの平面部分を圧設させて取り付けるため、支柱に固定されたパネルの安定性が低下するという問題点があった。
【０００６】
本発明は、アール形状の支柱や直線形状の支柱に吸音パネルを安定させて固定可能な防音壁を提供するものである。
【課題を解決するための手段】
【０００７】
上記目的を達成するため、本発明は以下のような構成としている。
すなわち本発明に係る防音壁は、並設された支柱間にパネル形状の吸音パネルが架け渡されて固定された防音壁であって、
前記吸音パネルは、前側に多数の開孔を有する前面板が配置され、後側に背面板が配置され、該背面板と前記前面板との間に吸音材が内装されており、
前記前面板は吸音パネルの上下の端部から中央に至るほど吸音パネルの内側方向へ向かうように傾斜して設けられると共に、
前記前面板の長手方向における両端部が前記各支柱にそれぞれ当接されて前記吸音パネルが固定されていることを特徴とするものである。
【０００８】
本発明に係る防音壁によれば、並設させた支柱間に架け渡して固定させる吸音パネルを、前側に多数の開孔を有する前面板を配置させ、後側に背面板を配置させ、この背面板と前記前面板との間に吸音材が内装させてパネル形状に形成させ、
前記前面板を吸音パネルの上下の端部から中央に至るほど吸音パネルの内側方向へ向かうように傾斜させて設けると共に、前記前面板の横方向両端部を前記各支柱にそれぞれ当接させて前記吸音パネルを固定させるので、
支柱の形状が直線形状とアール形状のいずれであっても、前記吸音パネルの前面板の上端部と下端部とがそれぞれ支柱に当接されて、がたつきなく安定的に固定される。
【０００９】
また、前記各支柱の側方に上下方向に沿う支柱溝部をその開口部を相対向させてそれぞれ形成させ、
前記各支柱溝部に前記吸音パネルの長手方向における両端部を挿入させて前記各支柱間に取り付け、
前記背面板と、この背面板と相対する前記支柱溝部内面との間に固定バネを取り付けて、前記吸音パネルを前方向に付勢させ前記前面板を反対側の支柱溝部内面に圧着させて固定させれば、前記吸音パネルのがたつきなどがより低減されて、安定的に固定されるので、好ましい。
また、前記吸音パネルの前後の厚みについて上下方向の両端部を最も大きく形成させ、且つ少なくとも前記吸音パネルの上下いずれかの端部背面に前記固定バネを取り付ければ、前記支柱溝部内面に前面板が当接されて圧着される前記吸音パネルの上部と下部における、背面板と支柱溝部内面との隙間が最も小さくなされるので、前記固定バネの付勢によってより強固に前記前面板が支柱溝部内面に圧着され、安定的に固定されるので、好ましい。
【００１０】
また、前記吸音パネルの背面板に後方へ突出する取付金具を取り付けると共に、この取付金具を介して前記吸音パネルの後方に太陽電池パネルを固定させれば、前記背面板の後面を平面状に設けることで、平面形状の太陽電池パネルの取り付けが容易となるので、太陽電池パネルを備えた防音壁をより容易に安定させて設けることができるので、好ましい。
【発明の効果】
【００１１】
本発明に係る防音壁によれば、アール形状の支柱や直線形状の支柱に吸音パネルをそれぞれ安定させて固定できる。
【図面の簡単な説明】
【００１２】
【図１】本発明に係る防音壁の実施の一形態を示す後方からの斜視図である。
【図２】吸音パネルを支柱間に設置させた状態を示す図１の上方からの断面図である。
【図３】図１の吸音パネルを示す（イ）は平面図であり、（ロ）は正面図であり、（ハ）は側面図であり、（ニ）は背面図である。
【図４】図３のＡ−Ａ断面の概要を示す図である。
【図５】図３のＢ−Ｂ断面の概要を示す図である。
【図６】図１の側方からの断面の概要を示す図である。
【図７】本発明に係る防音壁に用いる吸音パネルの実施の他の一形態を示す（イ）は平面図であり、（ロ）は正面図であり、（ハ）は側面図であり、（ニ）は背面図である。
【図８】図７のＡ−Ａ断面の概要を示す図である。
【図９】図７のＢ−Ｂ断面の概要を示す図である。
【図１０】図７のＣ−Ｃ断面の概要を示す図である。
【図１１】図７の吸音パネルを支柱間に設置させた状態を示す上方からの断面図である。
【発明を実施するための形態】
【００１３】
本発明の実施の形態を図面に基づき具体的に説明する。
図面において、１は防音壁である
本実施形態の防音壁１は、パネル形状の吸音パネル２が上下に複数段段積みされて形成されており、前記吸音パネル２は間隔をあけて立接された支柱９の間に架け渡されてそれぞれ固定されている。
【００１４】
防音壁１は、各支柱９の上部がアール形状に曲げ加工され、これらに固定された吸音パネル２が上方へ至る程、前方の車道へ覆い被さるように設けられている。
具体的には、各支柱９は下方に直線形状に形成された直線部９ａが設けられ、その上方に前方へ曲がるアール部９ｂが延設されて、前記防音壁１が設けられている。
【００１５】
図２は吸音パネル２を支柱９間に設置させた状態を示す図１の上方からの断面図である。
支柱９は、その両側の側方に上下方向へ向かう溝形状の支柱溝部９１を備えるように設けられており、具体的には各支柱９は２本のフランジ９５とそれらの間に１本のウェブ９６を備えた断面Ｈ型となされ、２本のフランジ９５が前方側と後方側にそれぞれ配置され、前記各フランジ９５とこれらの間に形成されたウェブ９６とが前記の各支柱溝部９１を形成するようにそれぞれ配置されて立設されている。
また、各支柱９は、各々のウェブ９６の間の間隔が、前記吸音パネル２の横方向の大きさより若干大きく形成されるように、配置されて立設されている。
【００１６】
吸音パネル２は、その長手方向における両端部を前記各支柱９の各支柱溝部９１内に収納させて、各支柱９間に支持、固定されている。
吸音パネル２は、前面板２１、背面板２２、側面板２３をそれぞれ固定させた横方向へ長い略直方体状に形成されており、吸音パネルの前記両端部において、背面板２２と支柱９の後方側に配置されたフランジ９５の内側面との間には、固定バネＳがそれぞれ取り付けられており、吸音パネル２が支柱９の前方側に配置されたフランジ９５の内側面に押し付けるように付勢されるように設けられている。
吸音パネル２は、その長手方向における両端部を支柱溝部９１に収納させて係合され、支柱９の前方や後方に転落することなく支持固定されるとともに、固定バネＳの付勢によって風や車の通行による振動などを受けても、支柱９と摩擦などを起こさず、その劣化が抑制される。
【００１７】
図３は図１の吸音パネル２を示す（イ）は平面図であり、（ロ）は正面図であり、（ハ）は側面図であり、（ニ）は背面図であり、図４は図３のＡ−Ａ断面の概要を示す図であり、図５は図３のＢ−Ｂ断面の概要を示す図である。
吸音パネル２は、アルミニウム板からなる多数の開孔２１ａを有する前面板２１と、その背後の背面板２２とによって形成された中空内に、グラスウールなどで形成された吸音材２４が内装され、前面板２１の開孔２１ａより中空内に入射された騒音は吸音材２４によって前方からの道路騒音を吸音するよう設けられている。
また、吸音パネル２は、固定バネＳの付勢によって、開孔２１ａが設けられた前面板２１を支柱９のフランジ９５に圧着させるようになされるので、支柱溝部９１の隙間から後方側へ音漏れが生じることを抑制させている。
【００１８】
図４及び図５に示すように、本実施形態の吸音材２４は横方向へ長い厚板形状に形成され、吸音パネル２内において上下方向に並設されるように２枚内装されている。
また、前記吸音パネル２内において、前記各吸音材２４と背面板２２との間に、横方向へ長い棒形状の押え部材２５が配置されて内装されている。具体的には前記２枚の吸音材２４の内、上方に配置された吸音材２４の上部後方と、下方に配置された吸音材２４の下部後方とに、それぞれ１本づつ、合計２本の押え部材２５が配置され、各吸音材２４がそれぞれ前面板２１付近に配置されて固定されるようになされている。
本実施形態の吸音材２４は厚板形状に形成させたグラスウールの表面をガラス繊維製のシートで被覆して形成させているが、これに限るものではなく、グラスウールを樹脂フィルムなど他の部材で被覆してもよく、グラスウール以外の材質のものを用いても良い。
また、本実施形態の押え部材２５は発砲ウレタン樹脂を用いて前記吸音材２４を固定させているが、これに限るものではなく、他の材質の発泡材を用いて押え部材２５を形成させてもよく、また、押え部材２５を金属板などから形成させて前記吸音材２４を吸音パネル２内で固定させてもよい。
【００１９】
前記開孔２１ａは細長いスリット形状に形成してもよく、パンチング孔を穿設させて形成してもよく、その他の形状に形成してもよいが、本実施形態は前面板２１の長手方向に細長い切れ込みを形成し、図３に示すようにその上部を外側にひさし状に張り出すように折り曲げてスリット形状に形成させている。このように形成させることで、開孔２１ａを容易に形成できるとともに、外側に張り出した開孔２１ａの上部分が屋根のように機能し、開孔２１ａを通じて雨水等が吸音パネル２内へ入り込みにくいものとしている。
【００２０】
吸音パネル２は、その下面の前端において、下方へ突出する係合片２７が前記吸音パネル２の全長に亘って形成されている。また、吸音パネル２の上面の前端においては、後方へ窪む係合凹部２８が前記吸音パネル２の全長に亘って形成されており、この係合凹部２８は前記係合片２７の前後の厚み程度の大きさに窪むように形成されている。前記係合片２７と係合凹部２８とは、複数の吸音パネル２が上下に段積みされる際に、下方に配置された吸音パネル２の係合凹部２８の窪み部分に、上に段積みされた吸音パネル２の係合片２７が収納されるように配置され、これらの各吸音パネル２の前後の位置ずれを抑制させて、安定的に固定されるように設けられている。
尚、前記係合片２７は、その下端２７ａが吸音パネル２の後面の下端２２ａより下方に位置するように形成されており、複数の吸音パネル２が直線形状の支柱９に段積みされて固定される場合においても、下方に配置された吸音パネル２の係合凹部２８の窪み部分に、上に段積みされた吸音パネル２の係合片２７の先端部分が収納されるように設けられている。
【００２１】
前面板２１は、互いに係合される上面に形成された係合凹部２８の部分と下面に形成された係合片２７の部分を除き、吸音パネル２の上下の端部から中央に至るほど吸音パネル２の内側へ向かうように若干傾斜して設けられている。
本実施形態の前面板２１は、１枚の前面板２１を上下方向中央で曲げ加工させて「く」の形状に形成させて設けているが、これに限るものではなく、二枚の板を上下に配置させて「く」の字形状の前面板２１を構成させてもよく、他の方法で設けてもよい。
【００２２】
図６は図１の側方からの断面の概要を示す図である。
各吸音パネル２は、その両端部をそれぞれ支柱９の支柱溝部９１に挿入させ、下方に配置された吸音パネル２の係合凹部２８の窪み部分に、上に段積みされた吸音パネル２の係合片２７を収納させ、各吸音パネル２の長手方向における両端部を各支柱９の支柱溝部９１に挿入させて、段積みされて防音壁１を構成している。
そして、各吸音パネル２は、支柱溝部９１内において、背面板２２と後方側のフランジ９５との間に取り付けられた固定バネＳの付勢によって、前方側のフランジ９５に前面板２１を圧着させて固定されている。このとき、上方の吸音パネル２の係合片２７は、下方の吸音パネル２の係合凹部２８と前方側のフランジ９５との間の隙間に収納されて前後への位置ずれが防止され、吸音パネル２が支柱溝部９内で安定的に固定されるようになされる。
尚、各吸音パネル２の背面板２２と後方側のフランジ９５との間に取り付けられる固定バネＳは、背面板２２の上部に配置されており、吸音パネル２の上部をより安定的に支柱９に圧着させて固定させるようになされている。
これにより、吸音パネル２は、下方に位置する吸音パネル２の係合凹部２８とフランジ９５との間に係合片２７を収納させることでその下端部を安定的に固定でき、固定バネＳの付勢によってその上部を安定的に固定できるので、上部と下部との２カ所の固定によって吸音パネル２がより安定して支柱９に固定されるようになされる。
【００２３】
また、本実施形態の吸音パネル２は、前面板２１が上下の端部から中央に至る程吸音パネル２の内側方向へ向かうように傾斜して設けられているため、長手方向における両端部において前面板２１の上端部と下端部との２カ所がフランジ９５に当接されるようになされている。
特に支柱Ｓのアール部９ｂにおいて、前面板２１が上下方向において平面形状に形成されている場合は、前面板２１の上下方向の中央部分の１カ所が支柱９のフランジ９５に当接されるため、この当接された箇所を支点として上下の端部が揺動しやすくなり、支柱溝部９１内での吸音パネルの固定が不安定なものとなされる。本実施形態の吸音パネル２は前面板２１を上記のように傾斜させて形成させることにより、フランジ９５に上端部と下端部との２カ所でフランジ９５に当接させるため、支柱溝部９１内で安定的に固定される。
また、上記のように前面板２１を傾斜させて形成させることで、吸音パネル２の上下方向の大きさを大きく形成させても、その上端部と下端部とを容易に支柱９に当接させることができ、支柱９に安定的に固定させることができる。このため、吸音パネル２の上下方向の大きさを大きく形成させて、上下へ段積みさせる吸音パネル２の数を減少させることも容易に行うことができる。
また、支柱Ｓの直線部９ａにおいても、アール部９ｂと同様に、本実施形態の吸音パネル２の上端部と下端部の２カ所をそれぞれフランジ９５に当接させることができるため、吸音パネル２を支柱９に安定的に固定させることができる。
【００２４】
また、前記固定バネＳは背面板２２と後方側のフランジ９５との間に取り付けられる。
本実施形態の吸音パネル２は、背面板２２の後面が平面となされ、且つ上端部と下端部とにおける前面板２１と背面板２２との間の幅の大きさが同一に形成されているため、支柱９の直線部９ａにおいては、背面板２２と後方側のフランジ９５との間の隙間Ｘは一定となされている。
これに対し、支柱９のアール部９ａにおいては、吸音パネル２の上端部と下端部における背面板２２と後方側のフランジ９５との間の隙間Ｘｂ、Ｘｃが、吸音パネル２の上下方向の中央付近における隙間Ｘａよりも小さく形成される。このため、固定バネＳを吸音パネル２の上部に配置させて固定させることで、幅狭に形成された背面板２２とフランジ９５との隙間Ｘｂに固定バネＳが取り付けられるので、より強く吸音パネル２を付勢させることができ、吸音パネル２をより安定的に支柱９に固定させることができる。
【００２５】
図７は本発明に係る防音壁に用いる吸音パネルの実施の他の一形態を示す（イ）は平面図であり、（ロ）は正面図であり、（ハ）は側面図であり、（ニ）は背面図であり、図８は図７のＡ−Ａ断面の概要を示す図であり、図９は図７のＢ−Ｂ断面の概要を示す図であり、図１０は図７のＣ−Ｃ断面の概要を示す図である。
本実施形態の吸音パネル２は、背面板２２に後方へ突出する取付金具５１、５２が取り付けられ、それぞれに太陽電池パネル３と下カバー部６１と、背面カバー部６２とが、吸音パネル２の後方に固定されている点が、図４に示す吸音パネル２の実施形態と異なる事項である。
【００２６】
太陽電池パネル３は、太陽電池セルを複数並設させた板状の太陽電池モジュールの四辺を、アルミニウム押出形材からなる枠体３１で周囲を囲って形成されている。
本実施形態の太陽電池パネル３は、その受光面を吸音パネル２の後方へ向け、吸音パネル２の長手方向中央寄りに１枚取り付けられている。
太陽電池パネル３は、吸音パネル２の背面板２２の後面に固定されて後方へ突出する取付金具５１に取り付けられており、前記背面板２２と前記太陽電池パネル３との間に取付金具５１の突出大きさ分の隙間が形成されるように設けられている。
【００２７】
前記の取付金具５１は、図８及び図１０に示すように、亜鉛めっき鋼板を曲げ加工して形成された、上下方向に長い断面コの字形状に形成されており、前記背面板２２の後面にコの字の一方の端の板部５１ａを当接させて固定され、前記太陽電池パネル３の枠材３１に他方の端の板部５１ｂを当接させて固定させ、前記背面板２２の後方へ太陽電池パネル３を取付金具５１の中央の板部５１ｃの幅の大きさ分突出させて取り付けている。前記取付金具５１は、背面板２２に２個左右に取り付けられており、前記太陽電池パネル３は、これらの各取付金具５１に架け渡されるように固定されている。
【００２８】
また図８に示すように、前記取付金具５１は前記背面板２２の後面の上端部から下端部に至るように形成されて固定されており、前記取付金具５１の下部には、太陽電池パネル３の下方の隙間を塞ぐように下カバー部６１が取り付けられている。下カバー部６１を取り付けることで、吸音パネル１の後方から背面板２２が視認されにくく、太陽電池パネル３と下かバー部６１とが一体的に視認され、美観を向上させる。
下カバー部６１は、亜鉛めっき鋼板を曲げ加工して形成させている。
【００２９】
図７及び図１０に示すように、前記太陽電池パネル３の両側の側方には、亜鉛めっき鋼板を曲げ加工して形成された背面カバー部６２がそれぞれ吸音パネル２の背面板２２に取り付けられている。
各背面カバー部６２は、長方形の板材の四辺を９０度の角度に折り曲げたパネル形状に形成され、前記吸音パネル２の背面板２２の後面に固定されて後方へ突出する取付金具５２に取り付けられており、前記背面板２２と前記背面カバー部６２との間に取付金具５２の突出大きさ分の隙間が形成されるように設けられている。
【００３０】
前記の取付金具５２は、前記取付金具５１と同様に、亜鉛めっき鋼板を曲げ加工して形成された上下方向に長い断面コの字形状に形成されており、前記背面板２２の後面にコの字の一方の端の板部５２ａを当接させて固定され、前記背面カバー部６２に他方の端の板部５２ｂを当接させて固定させ、前記背面板２２の後方へ背面カバー部６２を取付金具５２の中央の板部５２ｃの幅の大きさ分突出させて取り付けている。前記取付金具５２は、２個１組で前記太陽電池パネル３の両側の側方に１組づつ合計２組が背面板２２に取り付けられており、前記各背面カバー部６２は、これらの各取付金具５２に架け渡されるように固定されている。
【００３１】
図７（イ）に示すように、吸音パネル２の後面側において、前記太陽電池パネル３と前記各背面カバー部６２とはその後面が面一となるように、前記各取付金具５１と前記各取付金具５２とが形成されており、前記吸音パネル１の後面の美観を高めている。
また、本実施形態の吸音パネル２は、背面板２２の後面側が平面に形成されているため、断面コの字形状の容易に形成可能な取付金具５１及び取付金具５２を、その板部５１ａ、板部５２ａを当接させて背面板２２に強固に固定させることができると共に、その板部５１ｃ、板部５２ｃの幅の大きさも容易に調整して形成可能であるため、太陽電池パネル３や背面カバー部６２を容易に面一とすることができる。
【００３２】
図１１は図７の吸音パネルを支柱間に設置させた状態を示す上方からの断面図である。
本実施形態の吸音パネル２は、図２に示される実施形態と同様に、その長手方向における両端部がそれぞれ各支柱９の支柱溝部に挿入され、背面板２２と後方側のフランジ９５との間に取り付けられた固定バネＳによって吸音パネル２が前方へ付勢されて、前面板２１を前方側のフランジ９５に当接させて、支柱９に架け渡されて固定される。
このとき、各支柱９の後方側のフランジ９５の更に後面側が、本実施形態の吸音パネル２の背面カバー部６２に覆われるようになされており、各支柱９と本実施形態の吸音パネル２とで構成された防音壁１は、その後面側から目視したときに各支柱９の後面が視認されないように設けられ、その美観が高められる。
【００３３】
本実施形態の吸音パネル２は、前面板２１が上下の端部から中央に至る程吸音パネル２の内側方向へ向かうように傾斜して設けられているため、吸音パネル２の上下方向の大きさを大きく形成させても、前面板２１の上下方向の中央付近が前方側のフランジ９５に接触しにくくなされ、支柱９のアール部９ｂに容易に挿入させて取り付け可能となされている。
このため、吸音パネル２の上下方向の大きさを大きく形成させ、より大きな太陽電池パネル３を取り付け可能とすることができる。
【００３４】
本実施形態の吸音パネル２は、その長手方向中央寄りに太陽電池パネル３を１枚配置させて取り付けているが、これに限るものではなく、吸音パネル２の形状に応じて、２枚以上の太陽電池パネル３を吸音板部２の長手方向中央寄りに並設させて設けてもよい。
【００３５】
尚、図１〜６に示す実施形態の防音壁１や、図７〜１１に示す実施形態の防音壁１は、それぞれ２本の支柱９の間に吸音パネル２を段積みさせて固定させた状態を示しているが、吸音パネル２が取り付けられていない側の側方にも更に支柱９を並設させて、他の吸音パネル２をこれら各支柱９の支柱溝部９１に固定させてもよい。
また、図７〜１１に示す実施形態の防音壁１をこのように設ければ、吸音パネル２を２条の支柱溝部９１にそれぞれ固定させた支柱９の後面が背面カバー部６２に覆われて、美観をより高めることができる。
【００３６】
また前記に示した防音壁１においては、支柱９の直線部９ａとアール部９ｂとに同じ形状の吸音パネル２を固定させているが、これに限るものではなく、支柱９の直線部９ａとアール部９ｂとに固定させる吸音パネル２の形状をそれぞれ異ならせてもよく、支柱９の直線部９ａとアール部９ｂとのいずれか一方に本発明に係る吸音パネル２を固定させてもよい。
【符号の説明】
【００３７】
１    防音壁
２    吸音パネル
２１  前面板
２１ａ  開孔
２２  背面板
２３  側面板
２４  吸音材
２５  押え部材
２７  係合片
２８  係合凹部
３    太陽電池パネル
３１  枠体
５１  取付金具
５２  取付金具
６１  下カバー部
６２  背面カバー部
９    支柱
９ａ  直線部
９ｂ  アール部
９１  支柱溝部
９５  フランジ
９６  ウェブ
Ｓ    固定バネ
【図１】
2012052312.tif 000003
【図２】
2012052312.tif 000004
【図３】
2012052312.tif 000005
【図４】
2012052312.tif 000006
【図５】
2012052312.tif 000007
【図６】
2012052312.tif 000008
【図７】
2012052312.tif 000009
【図８】
2012052312.tif 000010
【図９】
2012052312.tif 000011
【図１０】
2012052312.tif 000012
【図１１】
2012052312.tif 000013